(57)【要約】本発明は、毛（１）と軸筒（２）と留め輪（３）とからなる筆の先端の毛（１）の保護キャップを対象とするものである。この保護キャップは、二つのシェル（７）、（８）で構成されたケース（７、８）を有し、該シェルは、シェル（７）、（８）の並置された重なりによってケース（７、８）を閉じするために、互いにヒンジ結合されている。シェルのうちの一つ（７）は固定されていて、筆の留め輪（３）を受け入れる剛体のホルダ（６）へと続き、このホルダ（６）は、その端部に、留め輪（３）のそれぞれの把持機構（４、５）を備える。もう一つのシェル（８）は可動であり、その遠位の端部に、ケース（７、８）の閉じ位置におけるロック機構（１６）を備え、該ロック機構は、固定側シェル（７）が有する相補的なロック機構（１７）とともに、はめ込みによって協働するものであって、これらのロック機構（１６，１７）は、ラジアル方向の突出部をもつ。
2007521865.tif 000002
【特許請求の範囲】
【請求項１】
毛（１）と軸筒（２）と留め輪（３）とからなる筆の先端の毛（１）の保護キャップであって、この保護キャップはケース（７、８）を有し、該ケースは、筆の軸筒（２）の遠位の端部に設けられた留め輪（３）に、そのケースを容易に可逆的着脱自在に固定するための手段（４、５）と、端部の一方で互いにヒンジ結合され、ケース（７、８）の閉じのために一方が他方に向かって折り畳み自在な二つのシェル（７）、（８）とを、合わせ持つものであり、このケースは、シェル（７）、（８）を互いにはめ込むことによる、その閉じのロック手段を備えているものであり、この保護キャップにおいて、
シェルのうちの一つ（７）は固定されていて、留め輪（３）を受け入れる剛体のホルダ（６）へと続き、このホルダは、少なくともそのそれぞれの端部の近傍に、把持機構（４、５）を備え、これは、該把持機構（４、５）の弾性変形によって留め輪（３）をそれぞれ把持するためのものであり、
また一方で、もう一つのシェル（８）は可動であり、その遠位の端部に、並置された重なりによる、ケース（７、８）の閉じ位置のロック機構（１６）を備え、該ロック機構は、固定側シェル（７）が有する相補的なロック機構（１７）とともに、はめ込みによって協働するものであることを特徴とする、保護キャップ。
【請求項２】
把持機構（４、５）は、留め輪（３）の相補的な隆起（９）と協働する、少なくとも軸方向の止めのための近位の把持機構（４）と、留め輪（３）の周囲の局部的な把持による、少なくともラジアル方向の固定のための遠位の把持機構（５）とで構成されて、近位の把持機構（４）を筆の留め輪（３）にひっかけることにより、この近位の把持機構に支軸の機能を付与するようになっており、ホルダ（６）は、遠位の把持機構（５）によって留め輪（３）がラジアル方向に把持されるまで、支軸を支点に上下に動くことを特徴とする、請求項１に記載の保護キャップ。
【請求項３】
ホルダ（６）の把持機構（４、５）が、あごの形に組織されており、該あご体のフックが、少なくともラジアル方向の縁部（１２）に配置されていることを特徴とする、請求項１または請求項２のいずれか一つに記載の保護キャップ。
【請求項４】
ラジアル方向の縁部（１２）の断面は、離れた各点によって留め輪をつかむための多面状（１０、１１）であることを特徴とする、請求項３に記載の保護キャップ。
【請求項５】
ホルダ（６）が、その外面に、剛性を高めるための背面リブ（１４）を有し、該背面リブが、その近位の端部から、固定側シェル（７）とのその接合領域に向けて伸びていることを特徴とする、請求項１〜４のいずれか一つに記載の保護キャップ。
【請求項６】
背面リブ（１４）および、固定側シェル（７）の外面が、ほとんど露出していることを特徴とする、請求項５に記載の保護キャップ。
【請求項７】
シェル（７）、（８）のロック機構（１６、１７）が、それぞれ、ラジアル方向の突出部をもった、相対する一組の側方の凹凸部から成り、該凹凸部が、それぞれ、ケース（７、８）のラジアル方向のほぼ中央の領域において、シェル（７）、（８）の対応する端部に設けられていることを特徴とする、請求項１〜６のいずれか一つに記載の保護キャップ。
【請求項８】
ケース（７、８）が、ケース（７、８）の閉じ位置へ向けた、可動側シェル（８）の案内手段（１９）を備え、該案内手段が、シェル（７）、（８）がその開口の周辺にそれぞれ有する、協働案内機構で形成されることを特徴とする、請求項１〜７のいずれか一つに記載の保護キャップ。
【請求項９】
シェル（７）、（８）の各協働案内機構（１９）が、シェル（７）、（８）の重なりにおける互いの間での位置決め用の溝（１９）によって形成され、この溝（１９）が、シェル（７）、（８）の少なくともどちらか一方の開口の周囲に沿って設けられ、もう一方のシェルの縁を受け入れるようになっていることを特徴とする、請求項８に記載の保護キャップ。
【請求項１０】
可動側シェル（８）が、捕捉用サイドエッジ（２０）を有し、該捕捉用サイドエッジが、使用者によるケース（７、８）の少なくとも開きの際の、その把握および操作のためのものであることを特徴とする、請求項１〜９のいずれか一つに記載の保護キャップ。
【請求項１１】
捕捉用サイドエッジ（２０）が、可動側シェル（８）の側方の凹凸部（１６、１７）に続いて設けられ、それにより、軸筒（２）の通過の開口を形成する可動側シェル（８）の遠位の端部を強化することを特徴とする、請求項８に記載の保護キャップ。
【請求項１２】
シェル（７）、（８）のうちの少なくともどちらか一つが、特に軸方向のスリットとして形作られた各通気開口部（１５）を有することで、それにより、シェルの剛性を顕著には損なわずに、前記各通気開口部（１５）が結果としての空気の通流を可能にするような、該シェルの壁体を通じて各通気開口部（１５）が設けられることを特徴とする、請求項１〜１１のいずれか一つに記載の保護キャップ。
【請求項１３】
前記キャップが空気の通路を有し、それにより、閉じ位置において、その遠位の端部を通じた空気の通流が可能になることを特徴とする、請求項１〜１２のいずれか一つに記載の保護キャップ。
【請求項１４】
前記の空気の通路が、それぞれ固定側シェル（７）および可動側シェル（８）を通って向かい合って設けられた各開口部によって形成されることを特徴とする、請求項１３に記載の保護キャップ。
【発明の詳細な説明】
【技術分野】
【０００１】
本発明は、筆または同様の物の先端を保護するためのキャップの分野に係るものである。本発明は、容易に取外しができながらも、とりわけその輸送のために、筆の先端の有効かつ永続的な保護を提供する、このような保護キャップを対象とする。
【背景技術】
【０００２】
筆は、主に、その毛の遠位の端部にある把持用の軸筒から成り、毛は、留め輪を介して軸筒に保持されているということが思い出される。ここで、および、この後の本発明の記述において、「毛」という用語は、総称的な意味で理解されるべきものであり、また、筆の先端（「房」とも呼ばれる）を製造するために使用される全てのタイプの繊維を形容するものであって、これらの繊維は、自然のものおよび／または合成のものである。提示される一般的な問題は、毛のもろさとやわらかさに存するものであり、筆が使用されていないとき、とりわけ、筆の輸送の途中での、毛の保護が有用になる。このため、先行技術によって、筆の軸筒に可逆的着脱自在に付け加えられた、毛の保護のためのキャップが提示されている。
【０００３】
本発明の記述のこの段階において指摘されるべきことは、このような保護キャップは、その構造によって提供される様々な諸特性間の折衷妥協点を満たさねばならないということである。特に、これらの諸特性が存するのは、毛の有効な保護においてであり、頻繁かつ定期的な取扱いにも負けない保護キャップの永続性においてであり、筆の軸筒にしっかりと固定されるが、その簡単な引抜の障害になってはいけないことにおいてであり、その使用を致命的な欠陥にしないために必要な、快適な使いやすさにおいてであり、そして、芸術絵画、さらには化粧または同様のものへの筆の適用分野による美学に敏感と思われる使用者を魅了しうるような、感じの良い形態および外観において存するものである。
【０００４】
例えば、円筒形の軸筒に配置されて、毛を、軸筒に通されているところから覆うための保護キャップが提案されている。このような保護キャップの使用に結びついた不都合とは、キャップを、筆のどちらかの端部から軸筒に通過させることに存する。というのも、筆の遠位の端部から毛並みに逆らって軸筒が通過すると、毛にとって有害な変形および／または変質が引き起こされるのが避けられず、一方、仏国特許発明第２６４２２８３号明細書（ＤＡ  ＶＩＮＣＩ）によって提案されているような、筆の近位の端部からの通過は、不向きであり、作業性が悪いと判明するのである。そのうえ、保護キャップのこのような取付様式は、例えばスクレーパー、パレットまたは絵画ナイフといった、かなりの横の寸法を呈する付属品を、筆の軸筒の近位の端に、有利に備えるのを不可能にする。
【０００５】
独国特許発明第４２１５８９６号明細書（ＦＯＥＲＳＴＥＲ）によっても、シェルから成るケース状の保護キャップを準備することが提案されており、該シェルは、互いにヒンジ結合され、重なり合いによって協働するはめ込みのために変形可能なものである。筆の軸筒へのケースの固定は、軸筒にかかる力によって滑る、変形可能なスリーブを介して、ケースの閉じ位置にあるシェルで同時に軸筒を締付けることによって、実施される。一方では、閉じ位置にあるケースをしっかりとロックするための、もう一方では、ケースを筆の軸筒に固定するための、向かい合った力の対立が指摘される。
【０００６】
さらに、独国特許発明第２０６６３５号明細書（ＭＥＩＥＲ）では、変形可能なホルダに続くスプーンの凹み状の保護キャップを準備することが提案されており、該ホルダは、側方のはめ込みによってそれを筆の軸筒に固定するためのものである。このような保護キャップは、毛の部分的な保護しか提供せず、その固定およびその引抜のための使用様式は、その取扱いを難しくし、またその永続的な有効性を疑わしくする。
【０００７】
その結果わかるように、このような保護キャップは、上掲の諸特性間の折衷妥協点に満足な仕方で応えるものではなく、毎日の使用の際に、使用者に放っておかれがちになるという結果になる。
【特許文献１】仏国特許発明第２６４２２８３号明細書
【特許文献２】独国特許発明第４２１５８９６号明細書
【特許文献３】独国特許発明第２０６６３５号明細書
【発明の開示】
【発明が解決しようとする課題】
【０００８】
本発明の対象は、上掲の諸特性間の折衷妥協点の要請に最も良く応える保護キャップの構造に基づいて、この分野における必要性を満たすような筆の保護キャップを提案し、使用者にとって満足できる条件でのその使用を生み出すことである。
【課題を解決するための手段】
【０００９】
本発明によると、筆の先端の毛の保護キャップは、以下の特徴を、単独で、または組み合わせて有する。
【００１０】
第１の特徴として、保護キャップはケースを有し、該ケースは、一方では、筆の軸筒の遠位の端部に設けられた留め輪に、ケース自身を容易に可逆的着脱自在に固定するための手段を、また他方では、端部の一方で互いにヒンジ結合され、ケースの閉じのために一方が他方に向かって折り畳み自在な二つのシェルを、合わせ持つものである。
【００１１】
第２の特徴として、シェルのうちの一つは固定されていて、留め輪を受け入れる剛体のホルダへと続くが、このホルダは、とりわけ、可動のもう一方のシェルを受け入れるための底板を形成し、また、少なくともそのそれぞれの端部の近傍に、その弾性変形によって留め輪をそれぞれ把持するための、離れた機構を備えている。
【００１２】
第３の特徴として、ケースは、シェルを互いにはめ込むことによる、その閉じのロック手段を備えており、可動側シェルは、その遠位の端部に、ケースの閉じ位置のロック機構を備え、該ロック機構が、固定側シェルが有する相補的なロック機構とともに、はめ込みによって協働することで、ケースの閉じ位置において、シェルが、それらの開口の周辺部において、互いに並置されて重なった状態で維持されるようになる。
【００１３】
さらに、本発明に係る保護キャップは、次のような副次的な配置を有する。
【００１４】
把持機構は、好適には、留め輪の相補的な隆起と協働する、少なくとも軸方向の止めのための近位の把持機構と、留め輪の周囲の局部的な把持による、少なくともラジアル方向の固定のための遠位の把持機構とで構成される。これらの配置は、近位の把持機構を筆の軸筒にひっかけることにより、この近位の把持機構に支軸の機能を付与するようになっており、ホルダは、遠位の把持機構によって留め輪がラジアル方向に把持されるまで、支軸を支点に上下にを動く。
【００１５】
さらに、ホルダの把持機構は、有利には、あごの形に組織されており、該あご体のフックは、少なくともラジアル方向の縁部に配置されており、該縁部の断面は、好適には、離れた各点によって留め輪をつかむための多面状になっている。
【００１６】
ホルダは、好適には、その外面に、剛性を高めるための背面リブを有し、その堅牢性を強化している。この背面リブは、とりわけ、ホルダの近位の端部から、ホルダが固定側シェルと接合する領域に向けて伸びている。好適には、固定側シェルの外面と、背面リブとは、ほとんど露出している。
【００１７】
シェルのロック機構は、より正確には、それぞれ、ラジアル方向の突出部をもった、相対する一組の側方の凹凸部から成り、該凹凸部は、それぞれ、ケースのラジアル方向のほぼ中央の領域において、シェルの対応する端部に設けられている。
【００１８】
好適には、ケースは、可動側シェルをケースの開き位置と閉じ位置との間で案内する手段を備えており、該案内手段は、シェルがその開口の周辺にそれぞれ有する、協働する各案内機構から成る。これらの機構は、有利には、シェル同士が重なるように互いの間での位置決め用の溝によって形成され、該溝は、両シェルの開口の周辺に沿って少なくともどちらか一方に設けられ、相手側のシェルの縁を受け入れるようになっている。
【００１９】
ここで留意すべきは、少なくともこの溝は、好適には、可動側シェルの、一定のおよび絶え間ない案内のために続いているということであり、もし、そうでなければ、不連続であって、離れて継起する別々の要素で構成されるのである。
【００２０】
可動側シェルは、有利には、捕捉用サイドエッジを有し、該捕捉用サイドエッジは、使用者によるケースの、少なくとも開きの際の、そうでなければ同じく閉じの際の、その把握および操作のためのものである。好適には、捕捉用サイドエッジは、可動側シェルの側方の凹凸部に続いて設けられる。この配置により、さらに、軸筒の通過の開口を形成する可動側シェルの遠位の端部を強化することが可能であるが、該端部は、ケース閉じの際のロックのための反復的な変形の応力を受けるものであり、これに対して、固定側シェルの対応する端部は、該シェルをホルダに連動させることによって強化されている。
【００２１】
有利には、シェルのうちの少なくともどちらか一つは、特に軸方向のスリットとして形作られた通気開口部を有し、それにより、シェルの剛性を顕著には損なわなずに、前記通気開口部が結果としての空気の通流を可能にするような、そのシェルの壁体を通じる通気開口部が設けられる。
【００２２】
本発明のある特定の場合によると、保護キャップは空気の通路を有し、それにより、閉じ位置において、とりわけその遠位の端部を通じた空気の通流が可能になるが、この通路は、保護キャップの誤飲の場合に窒息するおそれを防ぐものである。より特定的には、前記の空気の通路は、それぞれ固定側シェル７および可動側シェル８を通って向かい合って設けられた開口部によって形成される。
【００２３】
本発明の好適な実施態様によると、前記保護キャップは、弾性変形可能なプラスチック材料で実現される。有利には、前記プラスチック材料は、透明である。透明なプラスチック材料としては、例えば、ポリプロピレン、ポリカーボネート、ポリスチレン、アクリロニトリル・ブタジエン・スチレンのポリマー（ＡＢＳ）、およびポリアミドを挙げることができる。本発明の好適な実施態様によると、前記保護キャップは、ポリアミドで実現される。透明で、弾性変形可能な、このプラスチック材料には、その弾性についての機械的特性を保つという利点があり、その結果、本発明による保護キャップは、筆の様々な直径に、容易に適合させることができる。さらに、ポリアミドは、溶媒に強いという特性をもつ一つの材料であり、そのため、本発明に特に適した材料の一つだということがわかる。
【００２４】
本発明の好適な実施態様によると、透明なプラスチック材料製の保護キャップは、成形によって実現される。
【発明を実施するための最良の形態】
【００２５】
以下の付属の各紙面の図面との関係においてなされる、その好適な実現形状の記述において、本発明は、よりよく理解され、本発明に属する詳細が明らかになるものである。
【００２６】
図１および図２は、本発明による保護キャップを備えた筆の斜視図であり、この保護キャップは、それぞれ、開き位置および閉じ位置にある。
【００２７】
図３および図４は、前の両図面に示された保護キャップの斜視図であり、この保護キャップは、それぞれ、開き位置および閉じ位置にある。
【００２８】
図５および図６は、前の両図面に示された保護キャップに関与する可動側シェルの斜視図であり、それぞれ、上からの図および下からの図である。
【００２９】
図７は、ホルダの上からの斜視図であって、該ホルダは、固定側シェルに続くことで、図１から図４に示された保護キャップに関与するモノブロックの要素を形成している。
【００３０】
図８は、本発明の実現の好適な変形例による、保護キャップの斜視図であり、近位の端から見たものである。
【００３１】
図９は、図８に示された保護キャップの可動側シェルの斜視図である。
【００３２】
図１０は、図８に示された保護キャップの固定側シェルの斜視図である。
【００３３】
図１および図２において、筆（１、２、３）は、その軸筒２の遠位の端部に有する毛１を保護するためのキャップを備えており、毛は、この分野の通常の方法で軸筒２に嵌め込まれた留め輪３を介して、該端部に固定される。
【００３４】
保護キャップは、全部合わせると、モノブロックの別々の要素６、７と８との二組から成り、これらが互いにヒンジ結合される。第一の要素６、７は、留め輪３に固定されており、一方、第二の要素８の近位の端部は、第一の要素６、７の遠位の端部に可動で取付けられている。なお、二つの要素６、７および８は、有利には成形によって実現され、互いの嵌め込みによるヒンジ結合で組み立てられることを指摘しておく。
【００３５】
第一の要素６、７は、膨らみのある固定側シェル７に連動した、細長いホルダ６で構成され、その固定側シェル７の遠位の端部には、第二の要素８がヒンジ結合されるが、この第二の要素自体は、固定側シェル７上で可動の、膨らみのあるシェル８として配置される。固定側シェル７および可動側シェル８は、一緒に、筆（１、２、３）の毛１の保護ケース（７、８）を形成する。記述のこの段階で指摘しておくが、可動側シェル８は、少なくとも部分的に、透明な材料で実現された壁体２１を有し、ケース（７、８）の閉じにも関わらず、使用者が可動側シェル８を通して筆の毛１を視覚的に捉えることができるようになっている。
【００３６】
図２において、より具体的に明らかになるように、ケース（７、８）は、全体として卵形の形態をしているが、これは、シェル７、８の膨らんだ形態と、それらが並置されて重なった状態で維持されていることの結果である。ケース（７、８）のこの形態は、保護キャップに独自の美しさを付与するが、使用者はこの美しさに敏感であると見なされており、また、ケースのこの形態は、保護キャップに、周辺の物体を折悪く引っ掛ける領域を成しうるような鋭い止め具を排除した構造を付与するものであるとともに、本発明の適応領域に関して不都合な汚れを残留させうることも排除されるものである。
【００３７】
図３および図４において、ホルダ６は、留め輪３への二つの把持機構４、５を備えているが、該把持機構は開いた環状体に配置されており、該環状体が、該把持機構に、弾性変形自在な性質を付与している。近位の第一の把持機構４は、相補的なはめ込み用起伏９と、はめ込みによって協働し、該はめ込み用起伏は、留め輪３が有するものであり、少なくとも軸方向の、そうでなければ同じくラジアル方向の把持のために、それを把握するためのものである。遠位の第二の把持機構５は、留め輪３の遠位の領域において、ホルダによって、留め輪３のラジアル方向の把持をもたらすものであるが、留め輪がこの領域内に第二のはめ込み用起伏を持っている場合には、さらに軸方向の把持をももたらすものである。
【００３８】
把持機構４、５は、留め輪３をしっかりと把握するために、あご体として組織されている。あご体のフックは、一対のラジアル方向の縁部１２から成り、該縁部は、多面状に形作られており、それぞれが、中指体１０および、二つの周辺押圧子１１を設けるようになっており、把持機構４、５の弾性変形によって生じる、軸筒の把握の力を最大限活用するようになっている。
【００３９】
なお、この把持機構４、５はホルダ６から発するものであり、ホルダの成形によって一緒に形成されるが、切り欠き１３によってホルダ６とは分離されており、ただし、該切り欠きは、ホルダ６の全体的な剛性を変えずに、自身の変形に有利に働くということに留意すべきである。
【００４０】
これらの配置は、保護キャップを筆に位置決めする容易さおよび、留め輪３へのキャップのしっかりとした維持に対して有利に働くが、これは、使用者が保護キャップを容易に引き抜くことへの障害にはならない。
【００４１】
ここで指摘すべきは、保護キャップの取扱いは、使用者によって実行されうるが、ケース（７、８）によって保護された毛１の変質のおそれなしで済むということである。というのも、保護キャップを留め輪３に取付ける際、近位の把持機構４は、有利には、キャップを筆に対して軸方向に止めるためと、キャップを筆にひっかけるための機構を構成しており、近位の把持機構４は、遠位の把持機構５によって、留め輪３の遠位の領域を押えるまで、筆の周りでキャップを回わす。
【００４２】
ホルダ６は、その外面に、剛性を高めるための背面リブ１４を有し、該背面リブは、その近位の端部から、固定側シェル７との接合領域に向かって延びている。この背面リブ１４は、ホルダ６に適当な堅牢性を付与しているが、しかるに、把持機構の変形自在性の妨げをもたらすことなく、とりわけ、保護キャップが留め輪３を越えて偶発的に外れることを引き起こしうる、ホルダの長手方向のたわみに抗して把持機構の変形自在性の妨げをもたらさないで済むのである。
【００４３】
図３において、より具体的であるように、両シェル７、８は、ラジアル方向の突出部をもった、相対する長手方向の凹凸部１６、１７を有し、可動側シェル８に設けられた凸部１６と、固定側シェル７に設けられた、これらの凸部を受けるための凹部１７とを組み合わせるものである。これらの凹凸部１６、１７は、可動側シェルを固定側シェルに向けて、それらが並置されて重なるまで折り畳むことにより、ケース（７、８）の閉じのロック手段を構成する。これらの相対する凹凸部１６、１７は、好適には、シェル７、８の開口の近傍に設けられ、筆の軸筒２は、この開口を通って延びている。他方、溝１９は、固定側シェル７の開口の周辺の縁に沿って設けられており、可動側シェル８を、その操作の際に案内し、また、固定側シェル７とのヒンジ結合された結合部を変質させうる、可動側シェルの傾斜した配置を防ぐためのものである。
【００４４】
可動側シェル８は、また、使用者によるケース（７、８）の開き操作と閉じ操作のための、捕捉用サイドエッジ２０も有する。これらのサイドエッジ２０は、可動側シェル８のグリップ１６の側方の延長線上に設けられ、該サイドエッジは、該グリップと協働して、可動側シェルの開口を強化するための機構を構成する。
【００４５】
図７において、固定側シェル７は、通気のためのスリット１５を有し、それにより、ケース（７、８）の内側の空間とその外側の環境との間で、結果としての空気の通流が可能になる。これらのスリットを軸方向に少しの幅で拡張することによって、このような空気の通流をが可能にしつつも、固定側シェル７の剛性を顕著には損なわずに済むのである。
【００４６】
図８から図１０までの各図に示された、実現の変形例では、保護キャップは、さらに、空気の通路を有し、これにより、閉じ位置での、その遠位の端を通した空気の通流が可能になる。これらの配置は、保護キャップの使用に安心感を与えることを目指したものであり、とりわけ、子供によるその誤飲に関しては、キャップの遠位の端を通した空気通流によって、万一の場合にも、子供が呼吸できるようになる。この空気の通路は、固定側シェル７および可動側シェル８をそれぞれ通る、向かい合わせに設けられた開口部によって形成される。より正確には、固定側シェル７は、その遠位の端部に、可動側シェル８が有するリング２３をヒンジ結合して受け入れるためのフォーク体２２を有する。リング２３とフォーク体２２との間のヒンジ結合された結合は、固定側シェル７のフォーク体２２内部に有する両横方向の突起２４を介して実現され、リング２３をはめ込みによって受け入れるためのものである。なお、可動側シェル８の固定側シェル７へのヒンジ結合された結合のこれらの配置は、図１から図７までの各図に示された、対応する実現形状の配置と同様のものであることに留意すべきである。
【００４７】
可動側シェル８の開きは、リング２３の周辺に対置して設けられた二つの穴２５および２６によって構成され、一方、固定側シェル７の開きのほうは、固定側シェル７の遠位の隔壁に設けられたラジアル方向の切り通し２７から形成され、該隔壁は、フォーク体２２の底部を画定する。
【図面の簡単な説明】
【００４８】
【図１】本発明に係る保護キャップを備えた筆で、開き位置の図。
【図２】本発明に係る保護キャップを備えた筆で、閉じ位置の図。
【図３】図１に示された保護キャップの部分拡大図であり、開き位置の図。
【図４】図２に示された保護キャップの部分拡大図であり、閉じ位置の図。
【図５】図３に示された保護キャップの可動側シェルの上からの斜視図。
【図６】図３に示された保護キャップの可動側シェルの下からの斜視図。
【図７】本発明に係る保護キャップのホルダを含む固定側シェルの斜視図。
【図８】本発明に係る保護キャップの一実施例であり、近位端から見た図。
【図９】図８に示された保護キャップの可動側シェルの斜視図。
【図１０】図８に示された保護キャップの固定側シェルの斜視図。
【符号の説明】
【００４９】
１  毛
２  軸筒
３  留め輪
４、５  把持機構
６  ホルダ
７  固定側シェル
８  可動側シェル
９  はめ込み用起伏
１０  中指体
１１  周辺押圧子
１２  縁部
１３  切り欠き
１４  背面リブ
１５  スリット
１６  凸部
１７  凹部
１９  溝
２０  サイドエッジ
２１  壁体
２２  フォーク体
２３  リング
２４  両横方向の突起
２５、２６  穴
２７  切り通し
【図１】
2007521865.tif 000003
【図２】
2007521865.tif 000004
【図３】
2007521865.tif 000005
【図４】
2007521865.tif 000006
【図５】
2007521865.tif 000007
【図６】
2007521865.tif 000008
【図７】
2007521865.tif 000009
【図８】
2007521865.tif 000010
【図９】
2007521865.tif 000011
【図１０】
2007521865.tif 000012
【国際調査報告】
2007521865.tif 000013
2007521865.tif 000014
2007521865.tif 000015
2007521865.tif 000016
2007521865.tif 000017
2007521865.tif 000018